【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
嵌合光フェルールの対応する整列特徴部と嵌合するための第１の整列特徴部及び第２の整列特徴部を備える光フェルールであって、前記光フェルールは、光を受光し、伝送するように適合され、前記第１の整列特徴部は、一定のサイズ及び一定の形状を有する開口部を画定し、前記第２の整列特徴部が圧縮可能である、光フェルール。
【請求項２】
前記第２の整列特徴部が、非圧縮状態及び圧縮状態を有し、前記圧縮可能な第２の整列特徴部を、前記第１の整列特徴部の前記開口部のサイズ及び形状を有する物体の開口部に挿入すると、前記第２の整列特徴部が前記非圧縮状態から前記圧縮状態に圧縮される、請求項１に記載の光フェルール。
【請求項３】
前記第２の整列特徴部が、第１の従順特徴部及び第２の従順特徴部を含み、前記第１の従順特徴部が、前記第２の整列特徴部の本体の第１の側部に取り付けられた第１の固定端を有する第１の可撓性アーム及び反対側の第１の自由端を含み、前記第２の従順特徴部が、前記本体の前記第１の側部の反対側の第２の側部に取り付けられた第２の固定端を有する第２の可撓性アーム及び反対側の第２の自由端を含み、前記第２の整列特徴部が前記圧縮状態である時には、前記第１の自由端と前記第２の自由端とが、第１の距離だけ離れており、前記第２の整列特徴部が前記非圧縮状態である時には、前記第１の自由端と前記第２の自由端とが、前記第１の距離よりも大きい第２の距離だけ離れている、請求項２に記載の光フェルール。
【請求項４】
嵌合光フェルールの対応する整列特徴部と嵌合するための第１の整列特徴部及び第２の整列特徴部を備える光フェルールであって、前記光フェルールは、光を受光し、伝送するように適合され、前記第１の整列特徴部が一定のサイズ及び一定の形状を有し、前記第２の整列特徴部が拡張可能な開口部を画定する、光フェルール。
【請求項５】
前記拡張可能な開口部が、非拡張状態及び拡張状態を有し、前記第１の整列特徴部の前記サイズ及び前記形状を有する物体を前記拡張可能な開口部に挿入すると、前記開口部が前記非拡張状態から前記拡張状態に拡張される、請求項４に記載の光フェルール。
【請求項６】
前記第２の整列特徴部が、第１の従順特徴部及び第２の従順特徴部を含み、前記第１の従順特徴部が、前記拡張可能な開口部の第１の側部に取り付けられた第１の固定端を有する第１の可撓性アーム及び反対側の第１の自由端を含み、前記第２の従順特徴部が、前記拡張可能な開口部の前記第１の側部の反対側の第２の側部に取り付けられた第２の固定端を有する第２の可撓性アーム及び反対側の第２の自由端を含み、前記拡張可能な開口部が前記非拡張状態である時には、前記第１の自由端と前記第２の自由端とが、第１の距離だけ離れており、前記拡張可能な開口部が前記拡張状態である時には、前記第１の自由端と前記第２の自由端とが、前記第１の距離よりも大きい第２の距離だけ離れている、請求項５の光フェルール。
【請求項７】
光フェルールであって、
一定のサイズ及び一定の形状を有する第１の特徴部と、
非拡張状態及び拡張状態を有する、拡張可能な開口部を画定する第２の特徴部と、を備え、前記第１の特徴部の前記サイズ及び前記形状を有する物体を前記拡張可能な開口部に挿入すると、前記開口部が前記非拡張状態から前記拡張状態に拡張され、前記光フェルールが、光を受光し、伝送するように適合されている、光フェルール。
【請求項８】
光フェルールであって、
一定のサイズ及び一定の形状を有する開口部を画定する第１の特徴部と；
非圧縮状態及び圧縮状態を有する圧縮可能な第２の特徴部と、を備え、それにより、前記圧縮可能な第２の特徴部を、前記第１の特徴部の前記開口部の前記サイズ及び前記形状を有する物体の開口部に挿入すると、前記第２の特徴部が前記非圧縮状態から前記圧縮状態に圧縮され、前記光フェルールが、光を受光し、伝送するように適合されている、光フェルール。
【請求項９】
前記光フェルールが前記フェルール嵌合方向に沿って嵌合光フェルールと嵌合する時に、前記第１の特徴部及び前記第２の特徴部が、前記嵌合光フェルールの対応する特徴部に実質的に同時に係合するように、前記第１の特徴部が、前記光フェルールのフェルール嵌合方向に沿った第１の場所に配置され、前記第２の特徴部が、フェルール嵌合方向に沿った実質的に異なる第２の場所に配置される、請求項８に記載の光フェルール。
【請求項１０】
フェルール嵌合方向に沿って嵌合光フェルールと嵌合するように適合されている光フェルールであって、前記光フェルールが、
嵌合光フェルールの対応する第１の整列特徴部に係合するための、前記フェルール嵌合方向に沿った第１の場所に配置された第１の整列特徴部と、
前記嵌合光フェルールの対応する第２の整列特徴部に係合するための、前記フェルールの嵌合方向に沿った実質的に異なる第２の場所に配置された第２の整列特徴部と、を備え、前記光フェルールが前記フェルール嵌合方向に沿って前記嵌合光フェルールと嵌合する時に、前記第１の整列特徴部及び前記第２の整列特徴部が、前記嵌合光フェルールの対応する前記第１の整列特徴部及び前記第２の整列特徴部に実質的に同時に係合し、前記光フェルールが、光を受光し、伝送するように適合されている、光フェルール。
【請求項１１】
光フェルールの長さ方向に沿って嵌合光フェルールと嵌合するように適合されている光フェルールであって、前記光フェルールが、
前記光フェルールの厚さ方向に沿った厚さと、
第１の整列特徴部であって、前記第１の整列特徴部の第１の接触領域において嵌合光フェルールの対応する第１の整列特徴部に接触するための第１の整列特徴部と、
第２の整列特徴部であって、前記第２の整列特徴部の第２の接触領域において嵌合光フェルールの対応する第２の整列特徴部に接触するための第２の整列特徴部とを備え、前記第１の接触領域と前記第２の接触領域とが、前記光フェルールの少なくとも前記長さ方向及び前記厚さ方向に沿って互いに対してオフセットしている、光フェルール。
【請求項１２】
嵌合光フェルールの対応する整列特徴部に係合するための第１の整列特徴部及び第２の整列特徴部を備える光フェルールであって、前記光フェルールが前記嵌合光フェルールと嵌合する時には、前記光フェルールが、前記光フェルールの第１の寸法に沿った前記嵌合光フェルールに対する前記光フェルールの移動によって、前記嵌合光フェルールから嵌合解除されように適合されており、前記光フェルールが前記嵌合フェルールと嵌合する時には、前記光フェルールが、前記光フェルールの前記第１の寸法に直交する第２の寸法に沿った前記嵌合フェルールに対する前記光フェルールの移動によって、前記嵌合フェルールから嵌合解除されように適合され、前記第１の寸法は、前記光フェルールの長さ寸法であり、前記第２の寸法は、前記光フェルールの厚さ寸法である、光フェルール。
【請求項１３】
前記第１の整列特徴部が、離間している第１の部分及び第２の部分と、前記第１の部分と前記第２の部分との間の中央部分とを含み、前記第１の部分及び前記第２の部分が、前記長さ寸法に沿って前記光フェルールの本体から、前記中央部分よりも遠くに延びている、請求項１２の光フェルール。
【請求項１４】
光フェルールであって、
一定のサイズ及び一定の形状を有する第１の整列特徴部と、
開口部を画定する第２の整列特徴部であって、前記第２の整列特徴部が第１の従順特徴部を含み、前記第１の従順特徴部が、第１の状態及び前記第１の状態とは異なる第２の状態を有し、それにより、前記第１の整列特徴部の前記サイズ及び前記形状を有する物体を前記開口部に挿入すると、前記第１の従順特徴部が前記第１の状態から前記第２の状態に変わる、第２の整列特徴部と、を備え、前記光フェルールが、光を受光し、伝送するように適合されている、光フェルール。
【請求項１５】
光フェルールであって、
一定のサイズ及び一定の形状を有する開口部を画定する第１の整列特徴部と、第１の従順特徴部を含む第２の整列特徴部と、を備え、前記第１の従順特徴部が、第１の状態及び前記第１の状態とは異なる第２の状態を有し、前記第２の整列特徴部を、前記第１の整列特徴部の前記開口部の前記サイズ及び前記形状を有する物体の開口部に挿入すると、前記第１の従順特徴部が前記第１の状態から前記第２の状態に変わり、前記光フェルールが、光を受光し、伝送するように適合されている、光フェルール。